(57)【要約】【課題】  一方の部材の壁と他方の部材の壁の目違いを防止し、水密性の高い簡易構造物の提供。【解決手段】  一方の部材１ａと、他方の部材１ｂと、連結カバー２とを備え、一方の部材１ａと他方の部材１ｂは小口同士を突き合わせてあり、連結カバー２は、一方の部材１ａの壁３と他方の部材１ｂの壁３に嵌り込み、両壁３，３を面一に保持している。【選択図】      図１
2019173527.tif 000002
【特許請求の範囲】
【請求項１】
一方の部材と、他方の部材と、連結カバーとを備え、一方の部材と他方の部材は小口同士を突き合わせてあり、連結カバーは、一方の部材の壁と他方の部材の壁に嵌り込み、両壁を面一に保持していることを特徴とする簡易構造物。
【発明の詳細な説明】
【技術分野】
【０００１】
本発明は、テラス囲い、サンルーム等の簡易構造物に関する。
【背景技術】
【０００２】
テラス囲いやサンルーム等の簡易構造物は、横に２つ連結して設置することがあり、その際には、２本の垂木掛けを端部同士突き合わせた状態で建物の外壁に取付け、垂木掛け上面の継ぎ目部をシールしている。この部分のシールは、垂木掛け上面と面一にシールするので、きちんとシールされているか確認しづらい問題があった。
【先行技術文献】
【非特許文献】
【０００３】
【非特許文献１】三協立山株式会社  三協アルミ社発行の施工要領書「晴れもよう３  土間仕様  施工要領書」（Ｎｏ．ＨＺ０２０２Ｒ、２０１６年１２月、ｐ．４８，５２
【発明の概要】
【発明が解決しようとする課題】
【０００４】
本発明は以上に述べた実情に鑑み、一方の部材の壁と他方の部材の壁の目違いを防止し、水密性の高い簡易構造物の提供を目的とする。
【課題を解決するための手段】
【０００５】
上記の課題を達成するために請求項１記載の発明による簡易構造物は、一方の部材と、他方の部材と、連結カバーとを備え、一方の部材と他方の部材は小口同士を突き合わせてあり、連結カバーは、一方の部材の壁と他方の部材の壁に嵌り込み、両壁を面一に保持していることを特徴とする。
【発明の効果】
【０００６】
請求項１記載の発明による簡易構造物は、一方の部材と他方の部材の小口同士を突き合わせてあり、連結カバーが一方の部材の壁と他方の部材の壁に嵌り込み、両壁を面一に保持していることで、一方の部材の壁と他方の部材の壁の目違いを防止し、水密性が向上する。
【図面の簡単な説明】
【０００７】
【図１】図２のＡ−Ａ断面図である。
【図２】図４のＸ部の平面図である。
【図３】図４のＸ部の縦断面図である。
【図４】本発明に係る簡易構造物の一実施形態を示す正面図である。
【図５】同簡易構造物の側面図である。
【図６】連結カバーの取付け前の状態の垂木掛け連結部の斜視図である。
【図７】連結カバーの取付け後の状態の垂木掛け連結部の斜視図である。
【図８】（ａ）は連結カバーの平面図、（ｂ）は同側面図、（ｃ）は後面図である。
【発明を実施するための形態】
【０００８】
以下、本発明の実施の形態を図面に基づいて説明する。図１〜５は、本発明の簡易構造物の一実施形態を示している。本簡易構造物は、建物の外壁４に沿って設置されるテラス囲いに適用したものであって、図４に示すように、間口方向（左右方向）に２棟連棟して設置したものである。本簡易構造物は、図４，５に示すように、建物の外壁４に左右一対の躯体方立５，５と、躯体方立５，５上に跨って垂木掛け１が取付けられ、屋外側に３本の柱６，６，６が地面Ｇから立設され、柱６，６，６の上端に雨樋を備えた桁７が架設してあり、躯体方立５と桁７の間に腕木８が取付けてある。垂木掛け１と桁７間には、左右両端に妻垂木９，９が取付けてあり、妻垂木９，９の間に垂木１０，１０，…が間隔をおいて取付けてあり、妻垂木９と垂木１０の間、垂木１０同士の間に、樹脂製の屋根パネル１１が取付けてある。妻垂木９と腕木８との間の開口部には、樹脂製の屋根側面パネル１２が取付けてある。腕木８の下の側面開口部１３ａと、桁７の下の前面開口部１３ｂには、引違い戸や折戸等の建具（図示省略）が取付けてある。柱６間の下部には前桁１４が取付けてあり、左右の柱６の下部と躯体方立５間には妻桁１５が取付けてあり、前桁１４と妻桁１５に支持して床部１６が構成してある。
【０００９】
垂木掛け１は、図１に示すように、建物の外壁４に当接してボルト３１で固定される垂直壁１７と、屋外側に向かって下向きに傾斜した上壁３と下壁１９を有している。上壁３の下側には屋根パネル１１を挿入するための溝部２０が形成してあり、屋根パネル１１の躯体側端部が該溝部２０内にビード２１ａ，２１ｂを介して保持してある。垂直壁１７と上壁１８とのコーナー部にはシールポケット２２が設けてあり、シールポケット２２にシール材２３を充填し、垂木掛け１を外壁４と全長に亘ってシールしてある。
【００１０】
垂木掛け１は、図２，３に示すように、同一断面の一方の垂木掛け１ａと他方の垂木掛け１ｂの２本を、小口同士を突き合わせた状態で外壁４に取付けてあり、図１に示すように、一方の垂木掛け１ａの上壁３の上面と他方の垂木掛け１ｂの上壁３の上面とに跨って、両部材の突合せ部２４をシール材２５でシールしてあり、このシール材２５をカバーするように一方の垂木掛け１ａの上壁３と他方の垂木掛け１ｂの上壁３とに跨って連結カバー２を取付けてある。両垂木掛け１ａ，１ｂの上壁３上のシール材２５は、垂木掛け１ａ，１ｂを外壁４とシールしているシール材２３と連続している。
【００１１】
連結カバー２は、硬質樹脂で形成したクリップ状のものであり、図２，３，８に示すように、上面側の左右両側部に一方の垂木掛け１ａの上壁３の上面と他方の垂木掛け１ｂの上壁３の上面にそれぞれ当接する垂木掛け上面当接部２６ａ，２６ｂを有し、その間に上方に膨らむ形でシール材保持部２７が設けてある。連結カバー２の前部（屋外側部）には、図１に示すように、略Ｕ字形の折り返し部２８が設けてあり、折り返し部２８の先端部に上向きに突出した突出部２９を有し、突出部２９は一方の垂木掛け１ａの上壁３の裏面と他方の垂木掛け１ｂの上壁３の裏面に跨って当接している。垂木掛け１ａ，１ｂの上壁３の屋外側端部下面側には引っ掛かり部３０が形成されており、突出部２９が引っ掛かり部３０に引っ掛かることで、連結カバー２が容易に外れないようになっている。
このように連結カバー２は、上面側の垂木掛け上面当接部２６ａ，２６ｂと下面側の突出部２９とで、両垂木掛け１ａ，１ｂの上壁３を上下から挟み込み、両垂木掛け１ａ，１ｂの上壁３を面一に保持している。シール材保持部２７には、図１に示すように、両垂木掛け１ａ，１ｂの上壁３上のシール材２５が保持され、シール材保持部２７でシール材２５を垂木掛け１ａ，１ｂの上壁３に向けて押し潰している。
【００１２】
垂木掛け１ａ，１ｂの施工手順について説明する。まず、一方の垂木掛け１ａと他方の垂木掛け１ｂを、小口同士を突き合わせて外壁４の所定の位置にボルト３１で固定する。次に、一方及び他方の垂木掛け１ａ，１ｂのシールポケット２２にシール材２３を充填し、両垂木掛け１ａ，１ｂを外壁４とシールする。次に、連結カバー２のシール材保持部２７にあらかじめシール材２５を充填した後、図６に示すように、両垂木掛け１ａ，１ｂの上壁３の突合せ部２４に屋外側から連結カバー２を取付ける。連結カバー２を取付けると、連結カバー２が一方の垂木掛け１ａの上壁３と他方の垂木掛け１ｂの上壁３に嵌り込み、両壁３，３が面一に保持される。また、連結カバー２のシール材保持部２７に充填しておいたシール材２５が押し潰されて、一方及び他方の垂木掛け１ａ，１ｂの上壁３，３の突合せ部２４上に隙間なく埋められる。
【００１３】
以上に述べたように本簡易構造物は、一方の部材（一方の垂木掛け）１ａと他方の部材（他方の垂木掛け）１ｂの小口同士を突き合わせてあり、連結カバー２が一方の部材１ａの壁（上壁）３と他方の部材１ｂの壁（上壁）３に嵌り込み、両壁３，３を面一に保持していることで、一方の部材１ａの壁３と他方の部材１ｂの壁３の目違いを防止し、水密性が向上する。
本簡易構造物は、一方の部材１ａの壁３と他方の部材１ｂの壁３の小口同士の突合せ部２４をシール材２５でシールしてあり、連結カバー２がシール材２５を押し潰しているので、両部材１ａ，１ｂの突合せ部２４を確実にシールすることができ、水密性が一段と向上する。
また、連結カバー２にシール材保持部２７が設けてあるので、連結カバー２を取付けるだけで両部材１ａ，１ｂの突合せ部２４をシールすることができ、施工性に優れる。
【００１４】
本発明は以上に述べた実施形態に限定されない。連結カバーが取付けられる一方及び他方の部材は、簡易構造物を構成する任意の部材とすることができ、例えば桁や梁、柱等であってもよい。連結カバーは、一方及び他方の部材の壁に嵌り込む形状であればよく、一方及び他方の部材の形態に合わせて適宜変更することができる。一方の部材と他方の部材の突合せ部のシールは任意であり、シール材は連結カバー側ではなく、一方及び他方の部材側に設けることもできる。またシール材は、湿式のシール材に限らず、乾式のシール材を用いることもできる。本発明は、テラス囲いに限らず、テラス屋根（側面と前面が囲われてないもの）、サンルーム、ガーデンルーム等、あらゆる簡易構造物に適用することができる。
【符号の説明】
【００１５】
１ａ  一方の垂木（一方の部材）
１ｂ  他方の垂木（他方の部材）
２  連結カバー
３  上壁（壁）
【図１】
2019173527.tif 000003
【図２】
2019173527.tif 000004
【図３】
2019173527.tif 000005
【図４】
2019173527.tif 000006
【図５】
2019173527.tif 000007
【図６】
2019173527.tif 000008
【図７】
2019173527.tif 000009
【図８】
2019173527.tif 000010